(57)【要約】【課題】効率よく製造することが可能なパチンコ機（弾球遊技機）の遊技盤を提供する。【解決手段】本発明では、遊技を行うための遊技構成部品と、前面に遊技構成部品が取り付けられるベニヤ板１１とを備え、遊技構成部品を構成する複数の遊技釘１６がベニヤ板１１の前面における一方の側に偏って配設されたパチンコ機の遊技盤１０において、ベニヤ板１１の前面における遊技釘１６が偏在する側と反対側に位置する上レール飾り１４の取り付け部分に、釘部材３８を配設可能な釘配設部３７が設けられ、釘配設部３７に配設された釘部材３８が、上レール飾り１４で覆われるように構成されている。【選択図】図２
2007209659.tif 000002
【特許請求の範囲】
【請求項１】
遊技を行うための遊技構成部品と、
前面に前記遊技構成部品が取り付けられるベニヤ板とを備え、
前記遊技構成部品を構成する複数の遊技釘が前記ベニヤ板の前面における一方の側に偏って配設された弾球遊技機の遊技盤において、
前記ベニヤ板の前面における前記遊技釘が偏在する側と反対側に位置する遊技構成部品の取り付け部分に、釘部材を配設可能な釘配設部が設けられ、
前記釘配設部に配設された前記釘部材が、前記遊技釘が偏在する側と反対側に位置する前記遊技構成部品で覆われるように構成されていることを特徴とする弾球遊技機の遊技盤。
【請求項２】
前記遊技釘が偏在する側と反対側に位置する前記遊技構成部品は、前記ベニヤ板の前面における外周部近傍に取り付けられたレール部材であり、
前記ベニヤ板の前面における前記レール部材の内側に囲まれて、前記遊技構成部品を構成する前記遊技釘が配設されて遊技球が転がり移動可能な遊技領域が形成されるように構成されていることを特徴とする請求項１に記載の弾球遊技機の遊技盤。
【請求項３】
前記釘部材が前記遊技釘と同じ種類の釘から構成されていることを特徴とする請求項１もしくは請求項２に記載の弾球遊技機の遊技盤。
【発明の詳細な説明】
【技術分野】
【０００１】
本発明は、パチンコ機等の弾球遊技機に用いられる遊技盤に関する。
【背景技術】
【０００２】
弾球遊技機の代表例であるパチンコ機は、前面に遊技領域を形成する遊技盤を立設姿勢で収容保持した前枠に、前背面に遊技球の処理経路を一体に設けるとともに背面に各種制御基板が取り付けられる裏セット盤を背面から取り付けて構成され、発射装置により遊技領域上部に導いた遊技球を落下させる過程で遊技領域内に設けた入賞装置に入賞させる遊技を行うように構成されている。
【０００３】
遊技盤は、ルータ加工等を施した矩形状のベニヤ板に所定の図柄を印刷したセルを貼り付けて形成された化粧板を基板として構成され、化粧板の前面に遊技球を導くレール部材を取り付けて略円形状の遊技領域が区画形成されている（例えば、特許文献１を参照）。遊技領域内には、多数の遊技釘、入賞装置等が取り付けられるとともに、略中央部に設けられた開口部の周縁にセンター飾りが取り付けられており、この開口部内に遊技展開に応じた図柄を表示させて遊技性を高めるための図柄表示装置が例えば液晶パネル等の表示部を前面に臨ませて配設されている。
【特許文献１】特開２００４−２４２７４４号公報
【発明の開示】
【発明が解決しようとする課題】
【０００４】
近年、図柄表示装置が大型化するのに伴って、図柄表示装置が配設されるセンター飾りも大型化している。そのため、例えば、遊技球が転がり落ちる領域が遊技盤（遊技領域）の左側に偏って形成され、それに伴って遊技釘が遊技盤（遊技領域）の左側に偏って配設される傾向にある。しかしながら、遊技盤の製造時に遊技釘が打ち込まれただけの遊技盤を積み重ねる場合があり、遊技釘が遊技盤（ベニヤ板）の左側に偏って配設された構成では、遊技釘が打ち込まれただけの遊技盤を積み重ねたときに、遊技盤がバランスを崩して倒れるおそれがあった。この場合、治具等を用いて遊技盤が倒れるのを防止する対策が必要となり、遊技盤の製造効率が低下するおそれがあった。
【０００５】
本発明は、このような問題に鑑みて成されたものであり、効率よく製造することが可能な弾球遊技機の遊技盤を提供することを目的とする。
【課題を解決するための手段】
【０００６】
このような目的達成のため、本発明では、遊技を行うための遊技構成部品と、前面に遊技構成部品が取り付けられるベニヤ板とを備え、遊技構成部品を構成する複数の遊技釘がベニヤ板の前面における一方の側に偏って配設された弾球遊技機（例えば、実施形態におけるパチンコ機ＰＭ）の遊技盤において、ベニヤ板の前面における遊技釘が偏在する側と反対側に位置する遊技構成部品の取り付け部分に、釘部材を配設可能な釘配設部が設けられ、釘配設部に配設された釘部材が、遊技釘が偏在する側と反対側に位置する遊技構成部品で覆われるように構成されている。
【０００７】
また、上述の発明において、遊技釘が偏在する側と反対側に位置する遊技構成部品は、ベニヤ板の前面における外周部近傍に取り付けられたレール部材であり、ベニヤ板の前面におけるレール部材の内側に囲まれて、遊技構成部品を構成する遊技釘が配設されて遊技球が転がり移動可能な遊技領域が形成されるように構成されていることが好ましい。
【０００８】
さらに、上述の発明において、釘部材が遊技釘と同じ種類の釘から構成されていることが好ましい。
【発明の効果】
【０００９】
本発明によれば、ベニヤ板の前面における遊技釘が偏在する側と反対側に、釘部材を配設可能な釘配設部が設けられているため、遊技盤の製造時に遊技釘および釘部材が打ち込まれただけの遊技盤を積み重ねたとき、釘配設部に配設された釘部材により遊技盤における遊技釘が偏在する側と反対側の部分が支持されて遊技盤が傾くのを防止することができることから、治具等を用いる必要がなくなって遊技盤を効率よく製造することが可能になる。
【００１０】
また、上述の発明において、遊技釘が偏在する側と反対側に位置する遊技構成部品がレール部材であることが好ましく、遊技領域の外側に位置するレール部材で釘部材が覆われることにより、遊技領域の設計に影響を及ぼすことなく釘部材を配設することができる。
【００１１】
さらに、上述の発明において、釘部材が遊技釘と同じ種類の釘から構成されることが好ましく、これにより、低コストで釘部材を配設することができる。
【発明を実施するための最良の形態】
【００１２】
以下、本発明の好ましい実施形態について図面を参照しながら説明する。本発明に係る遊技盤を備えた弾球遊技機の代表例としてパチンコ機ＰＭを図１に示しており、まず、これらの図面を参照しながらパチンコ機ＰＭの全体構成について要約説明する。ここで、図１はパチンコ機ＰＭの正面図である。
【００１３】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられた施錠装置４を利用して常には外枠１と係合連結された閉止状態に保持される。
【００１４】
前枠２の前面側上部には、ガラス扉５が前方に横開き開閉及び着脱可能に取り付けられ、施錠装置４を利用して常には前枠２の前面を覆う閉止状態に保持される。ガラス扉５の背後に位置する前枠上部には、遊技盤１０を着脱可能に収容する収容部（図示せず）が設けられており、この収容部に立設姿勢で係止保持された遊技盤１０がガラス扉５を通して視認されるようになっている。
【００１５】
前枠２の前面における上記ガラス扉５の下側には、遊技球を貯留する上球皿６が取り付けられており、この上球皿６の下側には下球皿７および発射ハンドル８が取り付けられている。また、図示省略するが、上球皿６に前面側が覆われた前枠２の下部領域には遊技補助盤（図示せず）と称される補助機構部が形成されており、この遊技補助盤には、遊技盤１０の遊技領域ＰＡ内に遊技球を発射する遊技球発射装置（図示せず）等が設けられている。
【００１６】
なお、前枠２の背面側には、図示しない裏セット盤が揺動開閉および着脱可能に取り付けられており、この裏セット盤には、図示省略するが、入賞状態等に基づいて遊技球を払い出す球払出装置および、球払出装置から払い出された遊技球を上球皿６に導く球払出通路等の遊技球の処理機構や、パチンコ機ＰＭの作動を制御する制御装置等が配設されている。
【００１７】
パチンコ機ＰＭは、前枠２やガラス扉５等が閉鎖施錠された状態で遊技に供され、上球皿６に遊技球を貯留させて発射ハンドル８を回動操作することにより遊技が開始される。発射ハンドル８が回動操作されると、上球皿６に貯留された遊技球は、上球皿６の背面側に位置する遊技球発射装置により１球ずつ遊技領域ＰＡに打ち出され、パチンコゲームが展開される。
【００１８】
次に、遊技盤１０について図２〜図５を追加参照しながら説明する。ここで、図２は遊技盤１０の正面図、図３は遊技釘１６を除く遊技構成部品を取り外した遊技盤１０の正面図、図４は遊技盤１０における釘配設部３７の近傍を示す側断面図、そして図５は遊技盤１０が積み重ねられた状態を示す模式図である。
【００１９】
遊技盤１０は、ルータ加工等を施した矩形状の積層合板であるベニヤ板１１（図３および図４を参照）に、所定の図柄が印刷されたセル１２（図４を参照）を貼り付けて成型される化粧板１３を基体として構成される。図２に示すように、化粧板１３（ベニヤ板１１）の前面における外周部近傍には、遊技構成部品の一つである上下２分割のレール飾り１４，１５がビス止めされ、上下のレール飾り１４，１５によって囲まれた内側に、遊技球発射装置（図示せず）より打ち出された遊技球が転がり落ちる略円形の遊技領域ＰＡが区画形成される。遊技領域ＰＡには、多数本の遊技釘１６とともに、風車１７や、始動入賞装置１８および大入賞装置１９並びに一般入賞装置２０といった各種入賞装置、背後に図柄表示装置２１が配設されるセンター飾り２２等の遊技を行うための遊技構成部品が取り付けられ、下端部には各入賞装置に入賞することなく遊技領域ＰＡを転動落下した遊技球を回収するためのアウト口２３が設けられる。
【００２０】
図３に示すように、化粧板１３（ベニヤ板１１）の中央部には、センター飾り２２の形状に合わせて第１開口部３１が形成されており、この第１開口部３１にセンター飾り２２の後部を挿通させた状態で、センター飾り２２が化粧板１３（ベニヤ板１１）の前面側に取り付けられるようになっている。化粧板１３（ベニヤ板１１）の中央下部には、始動入賞装置１８の形状に合わせて第２開口部３２が形成されており、この第２開口部３２に始動入賞装置１８の後部を挿通させた状態で、始動入賞装置１８が化粧板１３（ベニヤ板１１）の前面側に取り付けられるようになっている。化粧板１３（ベニヤ板１１）における第２開口部３２の下方には、大入賞装置１９の形状に合わせて第３開口部３３が形成されており、この第３開口部３３に大入賞装置１９の後部をそれぞれ挿通させた状態で、大入賞装置１９が化粧板１３（ベニヤ板１１）の前面側に取り付けられるようになっている。
【００２１】
化粧板１３（ベニヤ板１１）における第３開口部３３の左方には、左側の一般入賞装置２０の形状に合わせて第４開口部３４が形成されており、この第４開口部３４に一般入賞装置２０の後部を挿通させた状態で、左側の一般入賞装置２０が化粧板１３（ベニヤ板１１）の前面側に取り付けられるようになっている。化粧板１３（ベニヤ板１１）における第３開口部３３の右方には、右側の一般入賞装置２０の形状に合わせて第５開口部３５が形成されており、この第５開口部３５に一般入賞装置２０の後部を挿通させた状態で、右側の一般入賞装置２０が化粧板１３（ベニヤ板１１）の前面側に取り付けられるようになっている。また、化粧板１３（ベニヤ板１１）における第２開口部３２と第４開口部３４との間には、図示しない通過検出センサを取り付けるための第６開口部３６が形成されている。
【００２２】
ところで、多数本の遊技釘１６は、図２および図３に示すように、センター飾り２２を避けるようにして、化粧板１３（ベニヤ板１１）の前面における左側に偏って配設されている。これに対し、化粧板１３（ベニヤ板１１）の前面右側、すなわち、遊技釘１６が偏在する側と反対側の部分には、釘配設部３７が設けられており、この釘配設部３７に釘部材３８が配設されるようになっている。釘部材３８には遊技釘１６と同じ種類の釘が用いられており、この釘部材３８は、遊技釘１６と同じ高さとなるように化粧板１３の釘配設部３７に打ち込まれる。
【００２３】
また、化粧板１３（ベニヤ板１１）の前面上部（外周部近傍）には、前述の上レール飾り１４が取り付けられており、図２および図４に示すように、釘配設部３７に配設された釘部材３８が上レール飾り１４の右側部分で覆われるようになっている。なお、上レール飾り１４の裏面左側には釘収容部４１が凹設されており、上レール飾り１４が化粧板１３に取り付けられた状態で、釘配設部３７に配設された釘部材３８が釘収容部４１の内部に収容されるようになっている。
【００２４】
このように構成される遊技盤１０において、前述したように、化粧板１３（ベニヤ板１１）の前面における遊技釘１６が偏在する側と反対側に位置する上レール飾り１４の取り付け部分に、釘部材３８を配設可能な釘配設部３７が設けられ、釘配設部３７に配設された釘部材３８が上レール飾り１４で覆われるように構成されている。これにより、図５に示すように、遊技盤１０の製造時に遊技釘１６および釘部材３８が打ち込まれただけの遊技盤１０を積み重ねたとき、釘配設部３７に配設された釘部材３８により遊技盤１０における遊技釘１６が偏在する側と反対側の部分（本実施形態においては、右側の部分）が支持されて遊技盤１０が傾くのを防止することができることから、治具等を用いる必要がなくなって遊技盤１０を効率よく製造することが可能になる。
【００２５】
また、遊技領域ＰＡの外側に位置する上レール部材１４の右側部分で釘配設部３７に配設された釘部材３８が覆われることにより、遊技領域ＰＡの設計に影響を及ぼすことなく釘部材３８を配設することができる。また、釘部材３８が遊技釘１６と同じ種類の釘から構成されることにより、低コストで釘部材３８を配設することができる。
【００２６】
なお、上述の実施形態において、本発明に係る遊技盤１０が第１種パチンコ遊技機であるパチンコ機ＰＭに設けられているが、これに限られるものではなく、例えば、第２種パチンコ遊技機や第３種パチンコ遊技機、雀球遊技機等の弾球遊技機に設けられてもよい。
【００２７】
また、上述の実施形態において、釘配設部３７に釘部材３８が１本だけ配設されているが、これに限られるものではなく、複数の釘配設部を設けて、当該釘配設部に複数の釘部材が配設されるようにしてもよい。
【００２８】
さらに、上述の実施形態において、遊技釘１６は、ベニヤ板１１（化粧板１３）の前面における左側に偏って配設されているが、これに限られるのものではなく、右側に偏って配設される場合でも本発明を適用することができる。なおこの場合、釘部材はベニヤ板の前面における左側に配設される。
【００２９】
また、上述の実施形態において、ベニヤ板１１（化粧板１３）の前面における上レール飾り１４の取り付け部分に、釘部材３８を配設可能な釘配設部３７が設けられ、釘配設部３７に配設された釘部材３８が上レール飾り１４で覆われるように構成されているが、これに限られるものではなく、例えば、ベニヤ板１１（化粧板１３）の前面におけるセンター飾り２２の取り付け部分（右側部分）に釘配設部を設け、釘配設部に配設された釘部材がセンター飾り２２（右側部分）で覆われるようにしてもよい。
【図面の簡単な説明】
【００３０】
【図１】本発明に係る遊技盤を備えたパチンコ機の正面図である。
【図２】本発明に係る遊技盤の正面図である。
【図３】遊技釘を除く遊技構成部品を取り外した遊技盤の正面図である。
【図４】遊技盤における釘配設部の近傍を示す側断面図である。
【図５】遊技盤が積み重ねられた状態を示す模式図である。
【符号の説明】
【００３１】
ＰＭ  パチンコ機（弾球遊技機）
ＰＡ  遊技領域
１０  遊技盤
１１  ベニヤ板
１２  セル
１３  化粧板
１４  上レール飾り（レール部材）
１５  下レール飾り
１６  遊技釘
１７  風車（遊技構成部品）
１８  始動入賞装置（遊技構成部品）
１９  大入賞装置（遊技構成部品）
２０  一般入賞装置（遊技構成部品）
２２  センター飾り（遊技構成部品）
３７  釘配設部
３８  釘部材
４１  釘収容部
【図１】
2007209659.tif 000003
【図２】
2007209659.tif 000004
【図３】
2007209659.tif 000005
【図４】
2007209659.tif 000006
【図５】
2007209659.tif 000007